(57)【特許請求の範囲】
【請求項１】
切取線部ＣＬで連なる前後一対の底板部１、１’の各左右辺部にそれぞれ左右の腰板部２ａ、２ｂ、２ａ’、２ｂ’を形成し、一方の底板部１の右腰板部２ｂには右屋根板部３ｂを形成して、同屋根板部の前後辺部に前部フラップ片４ａ、後部フラップ片４ｂを連設し、
他方の底板部１’の左腰板部２ａ’にも、前部フラップ片４ａ’と後部フラップ片４ｂ’を有する左屋根板部３ａ’を前記切取線ＣＬの中点Ｐを中心とする点対称となるように形成し、
一方の底板部１側の左腰板部２ａにも左屋根板部３ａを連設し、
他方の底板部１’側の右腰板部２ｂ’にも、前記切取線ＣＬの中点Ｐで点対称となる屋根板部３ｂ’を形成し、
さらに各左右のいずれかの側の屋根板部３ｂ、３ａ’の遊端辺には差込片６、６’を形成し、反対の側の屋根板部３ａ、３ｂ’の差込片用の基部に第１の孔７、７を、同屋根板部の遊端辺の近傍に同じく差込片用の第２の孔８、８’を形成し、
各底板部１、１’の上面、すなわち組立てた状態の内面となる面に粘着層９、９’を形成してなるねずみ取り。
【請求項２】
切取線部ＣＬで連なる前後一対の底板部１、１’の各左右辺部にそれぞれ左右の腰板部２ａ、２ｂ、２ａ’、２ｂ’を形成し、一方の底板部１の右腰板部２ｂには右屋根板部３ｂを形成して、同屋根板部の前後辺部に前部フラップ片４ａ、後部フラップ片４ｂを連設し、
他方の底板部１’の左腰板部２ａ’にも、前部フラップ片４ａ’と後部フラップ片４ｂ’を有する左屋根板部３ａ’を前記切取線ＣＬの中点Ｐを中心とする点対称となるように形成し、
一方の底板部１側の左腰板部２ａにも左屋根板部３ａを連設し、
他方の底板部１’側の右腰板部２ｂ’にも、前記切取線ＣＬの中点Ｐで点対称となる屋根板部３ｂ’を形成し、
また、一方の底板部１側の左屋根板部３ａには頂辺部５を連接し、これと前記Ｐ点で点対称となるように他方の底板部１’側の右屋根板部３ｂ’にも頂辺部５’を連設し、
さらに、一方及び他方の頂辺部のない側の屋根板部３ｂ、３ａ’には差込片６、６’を形成し、反対側の屋根板部３ａ、３ｂ’の基部に差込片用の第１の孔７、７を、頂辺部５、５’の基部に同じく差込片用の第２の孔８、８’を形成し、
また、各底板部１、１’の上面、すなわち組立てた状態の内面となる面に粘着層９、９’を形成してなるねずみ取り。
【発明の詳細な説明】
【０００１】
【発明の属する技術分野】
本発明は粘着式のねずみ取りに関する。
【０００２】
【従来のねずみ取りとその問題点】
粘着タイプのねずみ取りは複数枚（あるいは複数個）をセットにし、袋や箱でパッケージして展示し、販売しているが、いままでは複数のねずみ取りを１枚（１個）ずつ袋や箱へ入れており、したがってそのパッケージ作業には非常に工数が掛かり、包装コストが高くつくという問題点があった。
【０００３】
【本発明の目的】
本発明はパッケージ作業の工数を少なくできて包装コストを低減でき、ねずみを誘導し易くて、捕獲率の高いねずみ取りを提供できるようにした。
【０００４】
【本発明の手段】
本発明に係る第一のねずみ取りは、切取線部で連なる前後一対の底板部の各左右辺部にそれぞれ左右の腰板部を形成し、一方の底板部の右腰板部には右屋根板部を形成して、同屋根板部の前後辺部に前部フラップ片、後部フラップ片を連設し、他方の底板部の左腰板部にも、前部フラップ片と後部フラップ片を有する左屋根板部を前記切取線の中点を中心とする点対称となるように形成し、一方の底板部側の左腰板部にも左屋根板部を連設し、他方の底板部側の右腰板部にも、前記切取線の中点で点対称となる屋根板部を形成し、さらに各左右のいずれかの側の屋根板部の遊端辺には差込片を形成し、反対の側の屋根板部の基部に差込片用の第１の孔を、同屋根板部の遊端辺の近傍に同じく差込片用の第２の孔を形成し、各底板部の上面、すなわち組立てた状態の内面となる面に粘着層を形成したものとしてある。
【０００５】
また、第二のねずみ取りは、第一のねずみ取りにおける一方の底板部側の左屋根板部には頂辺部を連接し、これと前記切取り線の中点で点対称となるように他方の底板部側の右屋根板部にも頂辺部を連設し、さらに頂辺部のない側の一方及び他方の屋根板部には差込片を形成し、反対側の屋根板部の基部に差込片用の第１の孔を、頂辺部の基部に同じく差込片用の第２の孔を形成したものとしてある。
【０００６】
【実施例】
ミシン目等よりなる切取線部ＣＬで連なる前後一対の底板部１、１’の各左右辺部にそれぞれ左右の腰板部２ａ、２ｂ、２ａ’、２ｂ’を形成し、一方（前部）の底板部１の右腰板部２ｂには右屋根板部３ｂを形成して、同屋根板部の前後辺部に前部フラップ片４ａ、後部フラップ片４ｂを連設してある。
【０００７】
他方（後部）の底板部１’の左腰板部２ａ’には、前部フラップ片４ａ’と後部フラップ片４ｂ’を有する左屋根板部３ａ’を前記切取線ＣＬの中点Ｐを中心とする点対称となるように形成してあり、前部、後部のフラップ片４ａ、４ｂ、４ａ’、４ｂ’の前後方向の長さＬは、腰板部の左右方向の長さ、すなわち、組立てた状態での高さ方向の長さＨよりは大であるが、最大２倍で、Ｈ＜Ｌ≦２Ｈとなるようにしてある。
なお、各フラップ片４ａ，４ｂ，４ａ’，４ｂ’は使用時に除去しやすいよう基部にミシン目１５を付しておく。
【０００８】
一方の底板部１側の左腰板部２ａにも左屋根板部３ａを連設してあり、この屋根板部３ａはフラップ片の長さＬだけ短くなっている。
【０００９】
しかして他方の底板部１’側の右腰板部２ｂ’にも、前記切取線ＣＬの中点Ｐで点対称となる屋根板部３ｂ’を形成してある。
また、一方の底板部１側の左屋根板部３ａには頂辺部５を連接し、これと前記Ｐ点で点対称となるように他方の底板部１’側の右屋根板部３ｂ’にも頂辺部５’を連設してある。
【００１０】
さらに、一方及び他方の頂辺部のない側の屋根板部３ｂ、３ａ’には差込片６、６’を形成してあり、反対側の屋根板部３ａ、３ｂ’の基部に差込片用の第１の孔７、７を、頂辺部５、５’の基部に同じく差込片用の第２の孔８、８’を形成してある。
【００１１】
また、各底板部１、１’の上面、すなわち組立てた状態の内面には粘着層９、９’を形成してあり、粘着層は捕獲力を高めるために、前方から見て波形をなす凹凸面に形成してある。
【００１２】
【作用】
［包装の仕方］
一方、他方の各底板部１、１’を切取線ＣＬの部分から粘着層９、９’が互いに反対面となるように背合わせに二つ折りする。
【００１３】
次いで各底板部１、１’の左右の腰板部２ａ、２ｂ、２ａ’、２ｂ’と屋根板部３ａ、３ｂ、３ａ’、３ｂ’を逐次直角に折り曲げ、各差込片６、６’を屋根板部の基部の孔７、７’へ挿入して断面矩形状の一対の角筒体に形成し、各角筒体の前後の開口小口を各フラップ片４ａ、４ｂ、４ａ’４ｂ’を折り曲げて塞ぎ、重なっているフラップ片どうしを粘着テープ１０で止める。
【００１４】
あるいは底板部１、１’の左右の腰板部２ａ、２ｂ、２ａ’、２ｂ’と屋根板部３ａ、３ｂ、３ａ’、３ｂ’を逐次直角に折り曲げ、各差込片６、６’を屋根板部の基部の孔７、７’へ挿入して断面矩形状の一対の角筒体に形成し、次いで角筒体を底板部１、１’の連続部たる切取線ＣＬの部分から折り返して背合わせの二つ折りにし、フラップ片４ａ、４ｂ、４ａ’４ｂ’を折り曲げて開口小口を塞ぐ。
【００１５】
かくすることにより、浅い箱状に組立てられた一対のねずみ取りＡ、Ｂが背合わせに連設されたものとなる。
しかも箱状にしっかりと保形されているので、粘着層９、９’が下側屋根板部の内面に付着するおそれはない。
この２個一対に連設されたねずみ取りを包装用の袋や箱１１に入れ、適宜封をして、ねずみ取りの包装体１２とする。
【００１６】
［使用方法］
連設している一対のねずみ取りを、袋や箱１１から取り出し、一方と他方の底板部１、１’を前記切取線ＣＬの箇所で切って、２個のねずみ取りＡ、Ｂに分離せしめる。
【００１７】
次いで使用する方のねずみ取り、例えばＡについては、差込片６を前記第１の孔７から外して、頂辺部の第２の孔８へ挿入し、前後のフラップ片４ａ、４ｂはミシン目１５から切取る。
かくすることにより、腰板部の低い屋根板部を有する略三角形のトンネル状筒体のねずみ取りに組立てられる。
【００１８】
このようにして組立てられたねずみ取りをねずみの出そうな場所（部屋の隅など）に置き、底板部の粘着層にはねずみの好きそうな餌１３でも載せておく。
ねずみは、溝やトンネル状の通路を通りたがる習性があり、また、餌を食べるためにトンネル筒体中に入り込み、底板部の粘着層の箇所まで入ると、粘着層に足を取られ、身動きができなくなって捕獲される。
なお、餌１３は粘着層に予めセットしておくばあいもある。
【００１９】
また、粘着層は底板部の前後辺部に粘着層のない誘導部１４ａ、１４ｂ、１４ａ’、１４ｂ’を残して形成する。
【００２０】
以上の実施例では、一方の底板部側の頂辺部、差込片、第１、第２の孔は他方の底板部側のそれぞれと切取線ＣＬの中点Ｐで点対称となるようにしてあるが、点対称ではなく、切取線ＣＬで線対称となるように形成してもよい。
【００２１】
また、実施例では頂辺部５、５’を形成してあるが、これを不要ならしめて、第２の孔８、８’は屋根板部の遊端辺の近傍に形成する場合もある。
【００２２】
【発明の効果】
本発明のねずみ取りは２個一対になっているので、２個を一つのものとしてパッケージでき、したがって袋や箱に入れるパッケージ作業の手間が省け、包装コストの低減というメーカーにとっては大なるメリットがある。
【００２３】
しかも箱状にしっかりと保形されているので、粘着層９、９’が下側屋根板部の内面に付着するおそれはなく、粘着層が波形であってもその形が損なわれず捕獲力を維持できる。
【００２４】
また、ねずみ取りとして組み立てられた状態では三角屋根を有するトンネル筒体になっているので、ねずみが誘導され易く、捕獲率が大である利点がある。
【図面の簡単な説明】
【図１】本発明に係るねずみ取りの展開平面図。
【図２】包装用に２個一対に組み立てた斜視図。
【図３】包装した状態を示す斜視図。
【図４】使用用に組み立てた斜視図。
【符号の説明】
１、１’・・・底板部
２ａ、２ｂ、２ａ’、２ｂ’・・・腰板部
３ａ、３ｂ、３ａ’、３ｂ’・・・屋根板部
４ａ、４ｂ、４ａ’、４ｂ’・・・フラップ片
５、５’・・・頂辺部
６、６’・・・差込片
７、７’・・・第１の孔
８、８’・・・第２の孔
９、９’・・・粘着層
１０    ・・・粘着テープ
１１    ・・・包装用の袋
１２    ・・・包装体
１３    ・・・餌
１４ａ、１４ｂ、１４ａ’、１４ｂ’・・・誘導部
１５    ・・・ミシン目
Ａ、Ｂ・・・ねずみ取り
ＣＬ・・・切取線
【図１】
0004049932.tif 000002
【図２】
0004049932.tif 000003
【図３】
0004049932.tif 000004
【図４】
0004049932.tif 000005